(57)【要約】  施設の中の個々の位置Ｒ１乃至Ｒ５に設置される照明器具１、２、３、４、５を含む照明システムが、試運転補助装置６を前記施設の中の間隔をあけた位置に配置し、それらで無線ローカルネットワークを作ることによって試運転される。前記試運転補助装置は、各々、前記照明器具からの光を検出するセンサ１３を含み、例えば、前記ローカルネットワーク内の前記装置６の信号強度に基づく測距を用いることによって、前記施設に対する前記試運転補助装置の位置を確定し、前記照明器具と前記試運転装置の個々のものを関連付けるために、前記試運転補助装置の前記センサ１３で、前記照明器具から個々に発せられる光を検出する。
2015503179.tif 000002
【特許請求の範囲】
【請求項１】
照明器具を含む照明システムを試運転するために、施設の中の個々の位置に設置される前記照明器具のネットワークに接続される制御装置であり、前記試運転が、前記施設の中の間隔をあけた位置に配置される複数の試運転補助装置を利用して実施され、前記装置が、各々、前記照明器具からの光を検出するセンサを含む制御装置であって、前記制御装置が、
前記試運転補助装置と通信して、前記施設の中の前記試運転補助装置の位置に対応するデータを供給し、
前記照明器具に、前記試運転補助装置のセンサによって検出されるよう、個々に検出可能なようにして、光を発せさせ、
前記照明器具と前記試運転補助装置の各々の個々のものを関連付けるために、前記装置のうちのどれのセンサが前記照明器具の個々のものからの光を検出したかに関するデータを前記試運転補助装置から受信するよう構成される制御装置。
【請求項２】
前記施設に対する前記試運転補助装置の位置の関数として距離データを確立するために測距機能を実施するよう構成される試運転補助装置と共に用いる請求項１に記載の制御装置であって、前記制御装置が、前記装置から前記距離データを受信するよう構成される制御装置。
【請求項３】
無線ネットワークを形成する無線送受信装置を含む試運転補助装置と共に用いる請求項１又は２に記載の制御装置であり、前記試運転補助装置の位置の確定が、前記無線ネットワークにおいて送信される無線信号の無線信号強度測定を用いて実行される制御装置であって、前記制御装置が、前記装置から前記信号強度測定に基づく前記距離データを受信するよう構成される制御装置。
【請求項４】
無線スイッチングネットワーク内に配置される照明器具と共に用いる請求項１乃至３のいずれか一項に記載の制御装置であって、前記制御装置が、無線スイッチと、各々の試運転補助装置に関連する照明器具を関連付けるよう動作可能である制御装置。
【請求項５】
前記照明器具に、前記試運転補助装置のセンサによって検出されるよう、個々に検出可能なようにして、光を発せさせるよう構成される請求項１乃至４のいずれか一項に記載の制御装置。
【請求項６】
前記照明器具を１つずつ順々にオンにするよう構成される請求項５に記載の制御装置。
【請求項７】
前記照明器具に、所定の個々の変調パターンで光を発せさせ、それによって、前記照明器具を個々に識別するための前記試運転補助装置の前記センサによる前記個々のパターンの検出を可能にするよう動作可能な請求項５に記載の制御装置。
【請求項８】
前記試運転補助装置と共にアドホック無線ネットワークを形成する無線送受信装置を含む請求項１乃至７のいずれか一項に記載の制御装置。
【請求項９】
請求項１乃至８のいずれか一項に記載の制御装置と、少なくとも１つの前記試運転補助装置とを含む照明試運転システム。
【請求項１０】
施設の中の個々の位置に設置される照明器具を含む照明システムの試運転用の試運転補助装置であって、前記装置が、前記施設の中の空間内の配置されるポータブルハウジングと、前記施設の中の前記装置の位置の決定を可能にする前記ハウジング内のシステムと、前記照明器具の個々のものと前記試運転装置を関連付けるために前記照明器具から個々に発せられる光を検出するセンサとを有する試運転補助装置。
【請求項１１】
前記照明器具を個々に検出するカメラを含む請求項１０に記載の試運転補助装置。 
【請求項１２】
前記試運転補助装置の位置を確定するために測距機能を実施するよう構成される請求項１０又は１１に記載の試運転補助装置。
【請求項１３】
照明ネットワーク制御装置とデータを通信するための送信機を含む請求項１０、１１又は１２に記載の試運転補助装置。
【請求項１４】
施設の中の個々の位置に設置され、ネットワークにおいて制御装置に接続される照明器具を含む照明システムを試運転するために、前記制御装置によって走らされるコンピュータプログラムであり、前記試運転が、前記施設の中の間隔をあけた位置に配置される複数の試運転補助装置を利用して実施され、前記装置が、各々、前記照明器具からの光を検出するセンサを含むコンピュータプログラムであって、前記プログラムが、
前記試運転補助装置に、前記施設の中の前記試運転補助装置の位置に対応するデータを供給するよう命令し、
前記照明器具に、前記試運転補助装置のセンサによって検出されるよう、個々に検出可能なようにして、光を発するよう命令し、
前記照明器具と前記試運転装置の各々の個々のものを関連付けるために、前記装置であって、前記装置のセンサが前記照明器具の個々のものからの光を検出した前記装置に関するデータを前記制御装置において前記試運転補助装置から受信する準備をするよう構成されるコンピュータプログラム。
【請求項１５】
施設の中の個々の位置に設置される照明器具を含む照明システムを試運転する方法であって、
各々が前記照明器具からの光を検出するセンサを含む複数の試運転補助装置を前記施設の中の間隔をあけた位置に配置するステップと、
前記施設に対する前記試運転補助装置の位置を確定するステップと、
前記照明器具と前記試運転装置の個々のものを関連付けるために、前記試運転補助装置の前記センサで、前記照明器具から個々に発せられる光を検出するステップとを有する方法。
【発明の詳細な説明】
【技術分野】
【０００１】
本発明は、例えば、オフィス、工場及び倉庫などの商業施設における照明システムの試運転に関する。
【背景技術】
【０００２】
商業施設には、一般に、暖房、換気、空調及び照明の制御を供給するために複雑な多数のサービスインフラが配置され、これは、メンテナンスを簡単にするため、及びビル内のエネルギ消費を最適化するために、中央位置から管理され得る。
【発明の概要】
【発明が解決しようとする課題】
【０００３】
ビルインフラシステムの設置は、とりわけ、ネットワーク全体が中央制御装置によって管理されている状態で、照明器具が、特定のスイッチ及びセンサによって、個々に又はグループにおいて、動作され得るように、スイッチ及びセンサが、手動作業によって、１つ以上の照明器具と関連付けられるネットワーク接続照明の試運転プロセスにおいて、複雑且つ非常に長い作業である。結果として、試運転プロセスは、現在、非常に高価な、労働集約的なプロセスである。
【課題を解決するための手段】
【０００４】
或る態様においては、本発明は、施設の中の個々の位置に設置される照明器具を含む照明システムの試運転用の試運転補助装置であって、前記装置が、前記施設の中の空間内の配置されるポータブルハウジングと、前記施設の中の前記装置の位置の決定を可能にする前記ハウジング内のシステムと、前記照明器具の個々のものと前記試運転装置を関連付けるために前記照明器具から個々に発せられる光を検出するセンサとを有する試運転補助装置を提供する。 
【０００５】
前記試運転補助装置の使用は、前記ネットワークを試運転するのに要する時間のかなりの削減を可能にする。
【０００６】
前記試運転補助装置は、制御装置と共にアドホックネットワークを形成してもよく、本発明は、別の態様においては、照明器具を含む照明システムを試運転するために、施設の中の個々の位置に設置される前記照明器具のネットワークに接続される制御装置であり、前記試運転が、前記施設の中の間隔をあけた位置に配置される複数の試運転補助装置を利用して実施され、前記装置が、各々、前記照明器具からの光を検出するセンサを含む制御装置であって、前記制御装置が、
前記試運転補助装置と通信して、前記施設の中の前記試運転補助装置の位置に対応するデータを供給し、
前記照明器具に、前記試運転補助装置のセンサによって検出されるよう、個々に検出可能なようにして、光を発せさせ、
前記照明器具と前記試運転装置の各々の個々のものを関連付けるために、前記装置であって、前記装置のセンサが前記照明器具の個々のものからの光を検出した前記装置に関するデータを前記試運転補助装置から受信するよう構成される制御装置を含む。
【０００７】
本発明は、前記試運転を実施するために前記制御装置によって走らされるプログラムも含む。
【０００８】
前記試運転補助装置は、無線ネットワークを形成する無線送受信装置を含んでもよく、前記試運転補助装置の位置の確定は、前記無線ネットワークにおいて送信される無線信号の無線信号強度測定を用いて実行されてもよい。
【０００９】
前記照明器具の少なくとも幾つかは、前記測距機能によって分解され得る最小距離より少ない距離だけしか間隔をあけられていない場合があり、本発明には、前記試運転補助装置が、依然として前記最小距離よい近い間隔しかあけられていない照明器具の位置を分解しながら、前記最小距離より大きい距離だけ互いから間隔をあけて配置されることができるという利点がある。
【００１０】
ここで、例示的な例として、本発明の実施例を、添付図面を参照して説明する。
【図面の簡単な説明】
【００１１】
【図１】試運転補助装置を利用して試運転される照明器具を含む部屋を示す施設の平面図である。
【図２】部屋のうちの１つの立面図である。
【図３】試運転補助装置の主な構成要素の概略図である。
【図４】照明器具のうちの１つの構成要素の概略図である。
【図５】無線部屋スイッチの構成要素の図である。
【図６】制御装置の概略的なブロック図である。
【図７】照明器具を試運転するようプログラムされたプロセスステップのブロック図である。
【発明を実施するための形態】
【００１２】
図１を参照すると、多くの空間、この例においては、部屋Ｒ１乃至Ｒ５を有するオフィス施設が、平面図で示されている。以下、例は、オフィス施設について記載するが、照明器具は、倉庫などの他の商業施設、操車場、又は家庭用住居など非商業施設にも設置され得る。部屋Ｒ１には、天井取り付け照明器具１−１；１−Ｎが配設され、部屋Ｒ２乃至Ｒ５は、同様に、各々の照明器具２−１；２−Ｎ…５−１；５−Ｎを含む。照明器具は、施設の建設中に設置されてもよく、又はレトロフィットとして設置されてもよい。一般的なやり方は、施設全体のために効果的な環境制御が実施され得るように中央制御されるネットワークに照明器具を配設するものである。適切なネットワークプロトコルは、DALI（Digital Address Line Interface）、Zigbee、LLM、Dynet、Starsense、イーサネット及びwifiを含む。更に、個々の作業空間のためにローカルスイッチが設けられ、この例においては、Ｒ１は、スイッチＳＷ１−１及びＳＷ１−２を含む。部屋Ｒ２乃至Ｒ５に、同様に、スイッチＳＷが配置される。
【００１３】
照明システムが最初に設置されるとき、試運転プロセスは、部屋Ｒ１乃至Ｒ５などの個々の空間内の照明が個々に制御され得るように、照明器具の位置及び中央位置からの関連スイッチＳＷを相互に関連付けるために実行される。試運転を実施するため、作業空間の各々に試運転補助装置（ACD）が配置され、図１に示されている例においては、ＡＣＤ ６−１、ＡＣＤ ６−２…ＡＣＤ ６−５が、各々、部屋Ｒ１乃至Ｒ５に配置される。ＡＣＤ ６は、アドホック無線ネットワークに接続されることができ、各々が、個々の作業空間において照明器具からの光を検出するためのローカルセンサを持つ。  
【００１４】
ＡＣＤ ６の主な構成要素は、図２に概略的に図示されている。装置６は、特定の作業空間、即ち、部屋Ｒ又は部屋Ｒの一部の中の照明器具から発せられる光を検出するために部屋のうちの１つの中の床又は他の位置に配置され得るポータブルハウジング７を含む。装置は、アドホックネットワーク内の他のＡＣＤとの無線通信のためのアンテナ９に接続される送信機／受信機ユニット８を含む。送信機／受信機ユニット８は、関連メモリ１１を備えるデジタルプロセッサ１０にも接続される。装置６は、再充電可能であり得るバッテリ１２によって駆動される。フォトダイオードのアレイを含み得るフォトセンサ１３は、図３において図示されているように部屋の中の照明器具から発せられる光を受けるためにハウジング７の上部に取り付けられる。図３は、照明器具１−１；１−２；１−３及び１−４からの光を受けるために部屋Ｒ１の床に配置されるＡＣＤ ６−１を示している。ＡＣＤ ６は、プロセッサ１０がトランスデューサ１４で実施される測距に基づいて位置計算を実施することを可能にするために超音波又は他のトランスデューサ１４も含み得る。  
【００１５】
図１に図示されているように、ＡＣＤ ６は、それらが、破線１６によって概略的に図示されているように、お互いに無線通信することができ、中央制御装置１６とも無線通信することができるローカルアドホック無線ネットワークを形成する。任意の適切なアドホックネットワーキングプロトコルが用いられてもよく、この例においては、Zigbeeが利用されている。従って、図２に示されている送信機／受信機ユニット８は、Zigbee送受信装置を有し、図１に示されている中央制御装置１５は、ＡＣＤ ６へのコマンド及びデータの送信及びＡＣＤ ６からのコマンド及びデータの受信をすることができる。 
【００１６】
照明器具のうちの１つの主要な構成要素の概略図が、図４に図示されている。前述のように、照明器具は、任意の適切なネットワーキングプロトコルを用いるネットワークに接続されてもよく、一例として、図４に示されている装置は、無線プロトコルにおいて接続されるよう構成されており、ここでは、一例として、Zigbeeの使用について記載する。しかしながら、ネットワークは、無線ネットワークである代わりに、配線で接続されたものであり得る。従って、図４を参照すると、照明器具は、発光ユニット２２に対する電力２１の供給を制御するスイッチ２０を制御するプロセッサ１９に結合されるZigbee送受信装置ユニット１８に結合されるアンテナ１７を含む。照明ユニット２２は、電源給電の、例えば、蛍光灯であってもよく、この場合には、スイッチ２０が、ユニット２２に対する電源電力の供給を制御することは、理解されるだろう。しかしながら、他の照明システムにおいては、ユニット２２は、ＬＥＤ装置であってもよく、この場合には、低電圧電源２１が利用され、スイッチ２０は、それに応じて構成される。また、スイッチ２０は、必ずしも、スイッチ電源オン及びオフだけのために必要であるのではなく、減光、又は発光ユニット２２に対する電力の他の制御若しくは変調のために用いられ得ることは理解されるだろう。
【００１７】
照明器具の各々は、例えばプロセッサ１９と関連するメモリ２３に、デジタルコードとして記憶されるネットワークアドレスを持つ。
【００１８】
図５は、図１に示されているスイッチＳＷの各々の基本的な構成要素を図示している。スイッチＳＷの各々は、個々のスイッチのネットワークアドレスを保持する関連メモリ２６を備えるプロセッサ２５に結合される手動操作可能なスイッチ２４を含む。プロセッサ２５は、アンテナ２８に結合され、一般にZigbeeプロトコルに従って動作する送受信装置ユニット２７と通信する。  
【００１９】
中央制御装置１５は、図６においてより詳細に図示されており、この例においては、関連アンテナ３０を用いてZigbeeプロトコルに従って動作するネットワーク送受信装置２９を有する。送受信装置２９は、以下でより詳細に説明するように、ＡＣＤ及びそれらが検出する照明器具のアドホックネットワークのマップを構築する、関連メモリ３２を備えるプロセッサ３１に結合される。データは、USBポート又はキーボードを含み得るデータ入力装置３３の使用により、プロセッサ３１を介してメモリ３２に入力され得る。更に、制御装置は、一旦、最初の試運転が実行されたら、照明の動作制御を実施することを可能にするコントロールパネル３４を含み得る。
【００２０】
ここで、図７を参照して、試運転プロセスの例をより詳細に記載する。ステップＳ１において、ＡＣＤ ６−１…６−５が、個々に、部屋Ｒ１乃至Ｒ５の中の、ＡＣＤが各々の部屋Ｒ１乃至Ｒ５の中の照明器具からの照明をセンサ１３で検出することができる位置に配置される。ＡＣＤは、オンに切り換えられ、図１において通信１６の線によって示されているように、中央制御装置１５とアドホックネットワークを形成する。
【００２１】
ステップＳ２において、ＡＣＤネットワークアドレス又は識別が、制御装置１５に供給される。これは、ＡＣＤ識別に対応するデータを、データ入力装置３３を用いて制御装置１５に入力することによって、手動で実行され得る。他の例においては、中央制御装置が、ＡＣＤの全てに、それらのＩＤを制御装置に供給するためにそれらのネットワークアドレスで応答するよう要求するブロードキャスト問い合わせ信号をアドホックZigbee信号を送信してもよい。受信されたＡＣＤ ＩＤは、制御装置１５のメモリ３２に記憶される。
【００２２】
ステップＳ３において、部屋Ｒ１乃至Ｒ５の中の照明器具の全てのネットワークアドレス又はＩＤが、制御装置１５に供給され、メモリ３２に記憶される。これは、照明器具を備えるアドホックネットワークを形成し、図４に示されている照明器具の各々のアンテナ１７によって受信される問い合わせを制御装置の送受信装置２９及びアンテナ３０を用いてブロードキャストする制御装置１５によって達成され得る。送受信装置１８は、受信した問い合わせ信号をプロセッサ１９に供給し、プロセッサ１９は、メモリ２３からネットワーク識別を検索し、ネットワーク識別を含む応答信号を送信することによって、応答する。照明器具ネットワーク識別の全てが、このようにして、制御装置１５のメモリ３２に記憶され得る。  
【００２３】
次いで、図７に示されているステップＳ４において、制御装置１５は、ＡＣＤ及びアドホックネットワークに、それらの位置がマップされ得るように、隣接ＡＣＤからの信号強度を測定するよう命令する。これは、Zigbeeネットワークの場合はそれ自体はよく知られているアルゴリズムによって実施され得る。  
【００２４】
次いで、ステップＳ５において、ＡＣＤ ６−１…６−５の位置と部屋Ｒ１…Ｒ５を関連付けるために、ＡＣＤ ６の位置が、部屋設計図に関連付けられる。この計算から、ＡＣＤ ６−１は部屋Ｒ１の中にあり、ＡＣＤ ６−２は部屋Ｒ２の中にあることなどが決定される。部屋設計図の詳細は、図６に示されているデータ入力装置３３を用いて制御装置１５のメモリにプログラムされ得る。ステップＳ５において実施された関連付けの結果は、制御装置１５のメモリ３２に記憶される。  
【００２５】
次いで、個々の照明器具が、個々に、照明器具が配置されている部屋を決定するために、各々のＡＣＤと関連付けられる。ステップＳ６において、照明器具のうちの最初のものが、オンに切り換えられる。例えば、照明器具１−１を考えると、照明器具から発せられる光は、ステップＳ７に示されているように、部屋Ｒ１の中のＡＣＤ ６−１のフォトセンサ１３によって検出される。
【００２６】
次いで、ステップＳ８において、ＡＣＤ ６−１が、アドホックネットワーク１６を介して制御装置１５にそのネットワークＩＤを送信する。従って、制御装置１５は、そのプロセッサを用いて、照明器具１−１が、ＡＣＤ ６−１によって検出されており、部屋Ｒ１と関連付けられることを相関させ得る。オンに切り換えられた照明器具のこの相関は、ステップＳ９において実施される。その後、照明器具は、ステップＳ１０においてオフに切り換えられ、ステップＳ１１において決定されるように照明器具の全てがテストされるまで、ループ３５を介して、次の照明器具のためにプロセスが繰り返される。  
【００２７】
照明器具の全てに対してテストが実施されたとき、様々な照明器具が配置される部屋を示すマップが、制御装置１５のメモリ３２に構築される。  
【００２８】
上記から、ステップＳ１乃至Ｓ１１は、制御装置１５のメモリ３２に保持され、プロセッサ３１によって走らされるコンピュータプログラムの制御の下で実施され得ることは理解されるだろう。
【００２９】
次いで、ＡＣＤ ６は、オフに切り換えられ、別の試運転動作のために用いられるよう別の施設に持っていかれ得る。
【００３０】
図６に示されているように、制御装置１５は、送受信装置２９及びアンテナ３０によって照明器具に個々にコマンドを送信することにより照明器具を個々にオン及びオフに切り換える所定のプログラムを走らせるよう構成され得るコントロールパネル３４を含み、コマンドは、アンテナ１７及び送受信装置１８によって受信され、スイッチ２０の動作を制御し、それによって、発光ユニット２２が動いている期間を制御するようにプロセッサ１９に供給される。ステップＳ１２中にメモリ３２に記憶されるデータマップを用いることによって、コントロールパネルは、個々の部屋Ｒの照明器具を選択的にオン及びオフに切り換えるために用いられることができ、特定の部屋の中のまさに個々の照明器具が、互いと無関係にオン及びオフに切り換えられ得る。  
【００３１】
個々の部屋の中のスイッチＳＷも、個々の部屋の中の照明器具を選択的に制御するようプログラムされ得る。再び図７を参照すると、スイッチＳＷのためのネットワークアドレスが、ステップＳ１３に示されているように、前述の試運転プロセスによって決定された照明器具ネットワークアドレスと関連付けられ得る。
【００３２】
ここで、スイッチＳＷが、それらが配置される部屋の中のローカル制御を供給するように、照明器具ネットワークアドレスが、選択的に、部屋スイッチＳＷに送信され得る。これは、特定の部屋Ｒのための照明器具、例えば、部屋Ｒ１のための照明器具１−１…１−Ｎ、又は部屋の一部の中の空間のための照明器具のサブグループのうちの１つ以上のリストを、メモリ３２に記憶されたマップから形成し、次いで、プロセッサ３１、送受信装置２９及びアンテナ３０の使用により、部屋Ｒ１の中に配置されたスイッチの対応するアンテナ２８に、このデータを、送受信装置２７により受信され、プロセッサ２５によりメモリ２６に記憶されるよう、送信する制御装置１５によって、実施される。この方法においては、スイッチ２４が、部屋Ｒ１の中のユーザによって、照明器具１−１…１−Ｎを、個々に又はグループにおいてひとまとめにして、切り換えるために、手動操作され得る。
【００３３】
ＡＣＤ ６の使用には、例えば、制御装置１５が、照明器具のZigbee送受信装置に個々に問い合わせ、照明器具からの無線信号の信号強度に基づいて距離測定を実施する場合と比べて、照明器具の位置のより精密な分解能が達成され得るという利点がある。Zigbee位置決めアルゴリズムが、個々の照明器具の送受信装置１８及びアンテナ１７によって引き起こされるZigbee送信の信号強度に基づいている場合には、既製のZigbee無線送受信装置が用いられる場合、分解能は、一般に、1.4メートルと1.8メートルとの間である。しかしながら、実際には、照明器具は、一般的な照明設置においては、多くの場合、この距離より接近した間隔をおいて配置され、故に、この手法は、試運転プロセス中に個々に照明器具の位置を決める十分な分解能を供給しないだろう。しかしながら、上記の試運転方法においては、照明器具が、Zigbeeの測距機能によって分解され得る最小距離より少ない距離だけしか間隔をあけられない場合であっても、前記最小距離より大きい距離だけ互いから間隔をあけられるＡＣＤによって、照明器具の位置が決定され得る。
【００３４】
上記の方法の変形例及び修正例は、請求項記載の発明の範囲内にある。例えば、図７を参照して記載した方法においては、照明器具は、個々に１つずつ順々にオンに切り換えられる。しかしながら、照明器具は、有利には、それらのネットワークＩＤに対応する個々のパルスコードシーケンスにおいて光を発するよう構成され得る。この場合には、照明器具は、試運転プロセスのために要する時間を減らすために、全て一緒に又はグループにおいて、同時にオンに切り換えられ得る。  
【００３５】
また、幾つかの状況においては、例えば、ＡＣＤが、間仕切りのない領域の一部を形成する空間の中の照明器具を検出する間仕切りのないオフィスにおいては、２つ以上のＡＣＤ ６が、個々の照明器具からの光を検出し得る。これを解決するために、ＡＣＤは、２つ以上のＡＣＤのうちのどれがテスト中の照明器具に最も近いかを決定し、ＡＣＤ ６であって、前記ＡＣＤが最も近いことを示す、最も大きい光強度を検出したＡＣＤ ６と照明器具を関連付けるために、照明器具からの照明の強度を検出し得る。
【００３６】
修正例においては、光学カメラがＡＣＤに組み込まれ得る。ＡＣＤが部屋の中の照明器具の位置を決定することが可能であるだろう。そのため、照明器具は、１つずつオン／オフにされることができ、又は照明器具は、符号化光を送信し得る。カメラは、カメラが見る画像を処理し、試運転装置に対する照明器具の相対位置を決定し得る。
【００３７】
また、ＡＣＤ ６の位置は、アドホックネットワークにおける上記の信号強度の決定以外の手段によって決定され得る。例えば、ＡＣＤは、図２に示されているように付加的な又は代わりのセンサ１４、例えば、ＡＣＤが配置される部屋の壁に関して測距機能を実施するために用いられ得る超音波検出器を含み得る。
【００３８】
この例においては、照明器具は、Zigbeeネットワークを介して制御されるように記載さているが、wifiなどの他の無線ネットワークも用いられ得ることは理解されるだろう。また、DALIなどの有線ネットワークプロトコルも利用され得る。  
【００３９】
「有する」という用語は、他の要素又はステップを排除せず、単数形表記は、複数性を排除しないことは、理解されるだろう。単一のプロセッサが、請求項において列挙されている幾つかのアイテムの機能を果たしてもよい。単に、或る特定の手段が、互いに異なる従属請求項において列挙されているという事実は、これらの手段の組み合わせが有利には用いられることができないことを示すものではない。請求項における如何なる参照符号も、請求項の範囲を限定するものとして解釈されるべきではない。
【００４０】
この出願においては、請求項が、特徴の特定の組み合わせに対して作成されているが、本発明の開示の範囲は、明示的に又は暗黙的に本願明細書に開示されている如何なる新規な特徴又は如何なる新規な特徴の組み合わせ又はそれらの如何なる一般化も、それが現在いずれかの請求項に記載のものと同じ発明に関するか否かを問わず、それが本発明と同じ技術的問題のいずれか又は全てを緩和するか否かを問わず、含むことは、理解されるべきである。これによって、本願出願人は、本願又は本願から派生されるあらゆる他の出願の審査中に、このような特徴及び／又は特徴の組み合わせに対する新しい請求項が作成され得ることを通知する。
【００４１】
以下の請求項の範囲内にある他の修正例及び変形例は、当業者には明らかであるだろう。
【図１】
2015503179.tif 000003
【図２】
2015503179.tif 000004
【図３】
2015503179.tif 000005
【図４】
2015503179.tif 000006
【図５】
2015503179.tif 000007
【図６】
2015503179.tif 000008
【図７】
2015503179.tif 000009
【国際調査報告】
2015503179.tif 000010
2015503179.tif 000011
2015503179.tif 000012